【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する第１可変表示手段または、各々を識別可能な複数種類の識別情報の可変表示を行い表示結果を導出表示する第２可変表示手段に、識別情報の表示結果として予め定められた特定表示結果が導出表示されたときに、遊技者にとって有利な特定遊技状態に制御する遊技機であって、
未だ開始されていない識別情報の可変表示について保留情報として記憶可能な保留記憶手段と、
前記保留情報に対応して保留表示を実行する保留表示手段と、
前記保留情報に基づいて識別情報の表示結果を特定表示結果とするか否かを識別情報の表示結果が導出表示される以前に判定する事前判定手段と、
前記第１可変表示手段による識別情報の可変表示よりも、前記第２可変表示手段による識別情報の可変表示を優先して実行する可変表示制御手段と、
前記事前判定手段の判定結果に基づいて複数回の識別情報の可変表示に亘って前記保留表示の表示態様を特定の態様に変化させる保留変化演出を実行する保留変化演出実行手段と、を備え、
前記保留変化演出実行手段は、
前記保留変化演出として、前記保留表示の表示態様が変化される識別情報の可変表示以前の識別情報の可変表示において前段演出を開始するとともに、前記保留表示の表示態様が変化される識別情報の可変表示において前記前段演出に続く後段演出を実行し、前記後段演出により前記保留表示の表示態様を前記特定の態様に変化させるとともに、
前記保留記憶手段に記憶された前記保留情報のうち、前記第１可変表示手段において実行される識別情報の可変表示に対応した前記保留表示の表示態様を前記特定の態様に変化させる前記保留変化演出を実行する場合に、前記前段演出が実行される識別情報の可変表示中に前記第２可変表示手段において実行される識別情報の可変表示に対応した前記保留情報が前記保留記憶手段に記憶されると、前記後段演出の実行を中止する、
ことを特徴とする遊技機。
【請求項２】
各々を識別可能な複数種類の識別情報の可変表示を行い表示結果を導出表示する第１可変表示手段または、各々を識別可能な複数種類の識別情報の可変表示を行い表示結果を導出表示する第２可変表示手段に、識別情報の表示結果として予め定められた特定表示結果が導出表示されたときに、遊技者にとって有利な特定遊技状態に制御する遊技機であって、
未だ開始されていない識別情報の可変表示について保留情報として記憶可能な保留記憶手段と、
前記保留情報に対応して保留表示を実行する保留表示手段と、
前記保留情報に基づいて識別情報の表示結果を特定表示結果とするか否かを識別情報の表示結果が導出表示される以前に判定する事前判定手段と、
前記第１可変表示手段による識別情報の可変表示よりも、前記第２可変表示手段による識別情報の可変表示を優先して実行する可変表示制御手段と、
前記事前判定手段の判定結果に基づいて複数回の識別情報の可変表示に亘って前記保留情報の表示態様を特定の態様に変化させる保留変化演出を実行する保留変化演出実行手段と、を備え、
前記保留変化演出実行手段は、
前記保留変化演出として、前記保留表示の表示態様が変化される識別情報の可変表示において前段演出を開始して前記保留表示の表示態様を前記特定の態様に変化させるとともに、前記保留表示の表示態様が変化された以後の識別情報の可変表示において前記前段演出に続く後段演出を実行するとともに、
前記保留記憶手段に記憶された前記保留情報のうち、前記第１可変表示手段において実行される識別情報の可変表示に対応した前記保留表示の表示態様を前記特定の態様に変化させる前記保留変化演出を実行する場合に、前記前段演出が実行される識別情報の可変表示中に前記第２可変表示手段において実行される識別情報の可変表示に対応した前記保留情報が前記保留記憶手段に記憶されると、前記後段演出の実行を中止する、
ことを特徴とする遊技機。
【請求項３】
前記事前判定手段の判定結果に基づいて、複数回の識別情報の可変表示に亘って前記保留変化演出とは異なる特定演出を実行する特定演出実行手段を、
さらに備えることを特徴とする請求項１または２に記載の遊技機。
【手続補正２】
【補正対象書類名】明細書
【補正対象項目名】０００６
【補正方法】変更
【補正の内容】
【０００６】
本発明は、上記実状に鑑みてなされたものであり、保留変化演出の不具合の発生を防止することのできる遊技機の提供を目的とする。
【手続補正３】
【補正対象書類名】明細書
【補正対象項目名】０００７
【補正方法】変更
【補正の内容】
【０００７】
（１）上記目的を達成するため、本発明の第１の観点に係る遊技機は、
各々を識別可能な複数種類の識別情報の可変表示を行い表示結果を導出表示する第１可変表示手段（例えば第１特別図柄表示装置４Ａなど）または、各々を識別可能な複数種類の識別情報の可変表示を行い表示結果を導出表示する第２可変表示手段（例えば第２特別図柄表示装置４Ｂなど）に、識別情報の表示結果として予め定められた特定表示結果（例えば大当り図柄など）が導出表示されたときに、遊技者にとって有利な特定遊技状態（例えば大当り遊技状態など）に制御する遊技機（例えばパチンコ遊技機１など）であって、
未だ開始されていない識別情報の可変表示について保留情報として記憶可能な保留記憶手段（例えば第１特図保留記憶部や第２特図保留記憶部など）と、
前記保留情報に対応して保留表示を実行する保留表示手段と、
前記保留情報に基づいて識別情報の表示結果を特定表示結果とするか否かを識別情報の表示結果が導出表示される以前に判定する事前判定手段（例えばステップＳ２１１の処理を実行するＣＰＵ１０３など）と、
前記第１可変表示手段による識別情報の可変表示よりも、前記第２可変表示手段による識別情報の可変表示を優先して実行する可変表示制御手段（例えばステップＳ２３１の処理を実行するＣＰＵ１０３など）と、
前記事前判定手段の判定結果に基づいて複数回の識別情報の可変表示に亘って前記保留表示の表示態様を特定の態様に変化させる保留変化演出を実行する保留変化演出実行手段（例えばステップＳ５０８Ｂの処理を実行する演出制御用ＣＰＵ１２０など）と、を備え、
前記保留変化演出実行手段は、
前記保留変化演出として、前記保留表示の表示態様が変化される識別情報の可変表示以前の識別情報の可変表示において前段演出（例えば図３３（ａ）、（ｂ）に示す演出など）を開始するとともに、前記保留表示の表示態様が変化される識別情報の可変表示において前記前段演出に続く後段演出（例えば図３３（ｃ）、（ｄ）に示す演出など）を実行し、前記後段演出により前記保留表示の表示態様を前記特定の態様に変化させるとともに（例えば、保留変化態様の保留表示予告を実行するなど）、
前記保留記憶手段に記憶された前記保留情報のうち、前記第１可変表示手段において実行される識別情報の可変表示に対応した前記保留表示の表示態様を前記特定の態様に変化させる前記保留変化演出を実行する場合に、前記前段演出が実行される識別情報の可変表示中に前記第２可変表示手段において実行される識別情報の可変表示に対応した前記保留情報が前記保留記憶手段に記憶されると、前記後段演出の実行を中止する（例えば、変形例に記載の、第２特図の入賞があった場合には、その後の保留表示予告の実行を中止するなど）、
ことを特徴とする。
【手続補正４】
【補正対象書類名】明細書
【補正対象項目名】０００８
【補正方法】変更
【補正の内容】
【０００８】
このような構成によれば、保留変化演出の不具合の発生を防止することができる。
【手続補正５】
【補正対象書類名】明細書
【補正対象項目名】０００９
【補正方法】変更
【補正の内容】
【０００９】
（２）上記目的を達成するため、本発明の第２の観点に係る遊技機は、
各々を識別可能な複数種類の識別情報の可変表示を行い表示結果を導出表示する第１可変表示手段（例えば第１特別図柄表示装置４Ａなど）または、各々を識別可能な複数種類の識別情報の可変表示を行い表示結果を導出表示する第２可変表示手段（例えば第２特別図柄表示装置４Ｂなど）に、識別情報の表示結果として予め定められた特定表示結果（例えば大当り図柄など）が導出表示されたときに、遊技者にとって有利な特定遊技状態（例えば大当り遊技状態など）に制御する遊技機（例えばパチンコ遊技機１など）であって、
未だ開始されていない識別情報の可変表示について保留情報として記憶可能な保留記憶手段（例えば第１特図保留記憶部や第２特図保留記憶部など）と、
前記保留情報に対応して保留表示を実行する保留表示手段と、
前記保留情報に基づいて識別情報の表示結果を特定表示結果とするか否かを識別情報の表示結果が導出表示される以前に判定する事前判定手段（例えばステップＳ２１１の処理を実行するＣＰＵ１０３など）と、
前記第１可変表示手段による識別情報の可変表示よりも、前記第２可変表示手段による識別情報の可変表示を優先して実行する可変表示制御手段（例えばステップＳ２３１の処理を実行するＣＰＵ１０３など）と、
前記事前判定手段の判定結果に基づいて複数回の識別情報の可変表示に亘って前記保留情報の表示態様を特定の態様に変化させる保留変化演出を実行する保留変化演出実行手段（例えばステップＳ５０８Ｂの処理を実行する演出制御用ＣＰＵ１２０など）と、を備え、
前記保留変化演出実行手段は、
前記保留変化演出として、前記保留表示の表示態様が変化される識別情報の可変表示において前段演出（例えば図３５（ａ）、（ｂ）に示す演出など）を開始して前記保留表示の表示態様を前記特定の態様に変化させるとともに、前記保留表示の表示態様が変化された以後の識別情報の可変表示において前記前段演出に続く後段演出（例えば図３５（ｃ）、（ｄ）に示す演出など）を実行するとともに（例えば、変形例における保留変化態様の保留表示予告を実行するなど）、
前記保留記憶手段に記憶された前記保留情報のうち、前記第１可変表示手段において実行される識別情報の可変表示に対応した前記保留表示の表示態様を前記特定の態様に変化させる前記保留変化演出を実行する場合に、前記前段演出が実行される識別情報の可変表示中に前記第２可変表示手段において実行される識別情報の可変表示に対応した前記保留情報が前記保留記憶手段に記憶されると（例えば図３６（ｃ）など）、前記後段演出の実行を中止する（例えば図３６（ｄ）など）（例えば、変形例に記載の、第２特図の入賞があった場合には、その後の保留表示予告の実行を中止するなど）、
ことを特徴とする。
また、（１）または（２）の遊技機において、
前記事前判定手段の判定結果に基づいて、複数回の識別情報の可変表示に亘って前記保留変化演出とは異なる特定演出を実行する特定演出実行手段を、
さらに備えるようにしてもよい。
【手続補正６】
【補正対象書類名】明細書
【補正対象項目名】００１０
【補正方法】変更
【補正の内容】
【００１０】
このような構成によれば、保留変化演出の不具合の発生を防止することができる。